(57)【要約】【課題】  静止画の撮影対象と動画の撮影対象を視覚的に認識できるようにする【解決手段】  ＣＣＤ撮像素子１４は、図示しない撮影レンズによる光学像を画像信号に変換する。撮像処理部１６は、ＣＣＤ撮像素子１４の全画素の出力画像信号を取り込み、ガンマ補正などの公知のカメラ信号処理を施し、デジタルデータに変換して、撮像データ保持部１８に出力する。撮像データ保持部１８は、撮像処理部１６からの画像データを一時的に保持する。撮像データ保持部１８に保持される画像データは、一定のタイミングで繰り返し、表示処理部２４に転送される。表示処理部２４は、撮像データ保持部１８の画像データに付加情報をオーバーレイし、表示部２８に供給する。表示部２８の画面に静止画をフルで表示し、動画撮影範囲を示すフレームを重ねて表示する。【選択図】  図１
2007036882.tif 000002
【特許請求の範囲】
【請求項１】
撮像手段と、
前記撮像手段が出力する画像データの画面領域のうち、第１の領域の画像を静止画像として記録し、前記第１の領域よりも小さい第２の領域の画像を動画像として記録媒体に記録する記録手段と、
前記撮像手段より出力された画像データのうち前記第１の領域の画像に重ねて、前記第２の領域を示す枠を表示する表示手段
とを備えることを特徴とする撮像装置。
【請求項２】
更に、前記枠を表示するか否かを設定する設定手段を具備することを特徴とする請求項１に記載の撮像装置。
【請求項３】
前記枠情報を表示するか否かを任意に設定する設定手段を備え、前記表示制御手段は、前記設定手段により前記枠情報の非表示が設定された場合には、前記撮像手段より出力された画像データのうち前記第２の領域に係る画像を表示することを特徴とする請求項１に記載の撮像装置。
【発明の詳細な説明】
【技術分野】
【０００１】
本発明は、静止画や動画を撮像する撮像装置に関する。
【背景技術】
【０００２】
撮影画像を磁気テープに記録する民生用ビデオカメラが知られている。このような民生用ビデオカメラのフォーマットにはＤＶフォーマットが知られており、ＤＶフォーマットでは、約３６万画素相当の動画像信号が磁気テープに記録される。
【０００３】
特許文献１には、動画像撮影中に静止画像を撮影可能な撮像装置が記載されている。画像信号の撮影に用いるＣＣＤなどの撮像素子の画素数も年々増加し、高精細な静止画像を記録することが可能となってきている。動画撮影と静止画撮影の両方に対応する撮像装置では、一般に、静止画に対応する撮像素子が組み込まれ、動画撮影時には、撮像素子の一部を使用する。
【特許文献１】特開２００５−０５７３６１号公報
【発明の開示】
【発明が解決しようとする課題】
【０００４】
一般に、静止画と動画とでは、要求される画質が異なる。撮像素子の全面を使用する静止画撮影と、撮像素子の一部を使用する動画撮影とでは、撮影画角も異なる。
【０００５】
動画撮影中に静止画を撮影する場合、静止画の画角と動画の画角を同じにすれば、静止画の画質が期待よりも低くなる。他方、静止画の画質を高くしたければ、静止画の画角が動画の画角よりも広くなり、ファインダ画面上の見た目とは異なってしまう。
【０００６】
本発明は、動画撮影の対象と静止画撮影の対象を容易に確認できる撮像装置を提示することを目的とする。
【課題を解決するための手段】
【０００７】
上記の目的を達成するために、本発明に係る撮像装置は、撮像手段と、前記撮像手段が出力する画像データの画面領域のうち、第１の領域の画像を静止画像として記録し、前記第１の領域よりも小さい第２の領域の画像を動画像として記録媒体に記録する記録手段と、前記撮像手段より出力された画像データのうち前記第１の領域の画像に重ねて、前記第２の領域を示す枠を表示する表示手段とを備えることを特徴とする。
【発明の効果】
【０００８】
本発明によれば、静止画の撮影対象と動画の撮影対象を視覚的に認識できるようになる。
【発明を実施するための最良の形態】
【０００９】
以下、図面を参照して、本発明の実施例を詳細に説明する。
【実施例１】
【００１０】
図１は、本発明の一実施例である撮像装置の概略構成ブロック図である。撮像装置１０は、例えば、デジタルカメラ又はデジタルビデオカメラ等である。撮像装置１０は、メイン制御部１２、ＣＣＤ撮像素子１４、撮像処理部１６、撮像データ保持部１８、動画像圧縮伸長処理部２０、静止画像圧縮伸長処理部２２、表示処理部２４、記録再生処理部２６、表示部２８、記録媒体３０、バス３２及び操作部３４を具備する。また、図１において、破線は各構成の制御信号を示し、実線は画像データの流れを示す。
【００１１】
メイン制御部１２は、ＣＰＵ、ＲＯＭ及びＲＡＭ、又は、これらと同等の機能を有する集積回路等で構成される。
【００１２】
ＣＣＤ撮像素子１４は、図示しない撮影レンズによる光学像を画像信号に変換する。撮像処理部１６は、ＣＣＤ撮像素子１４の全画素の出力画像信号を取り込み、ガンマ補正などの公知のカメラ信号処理を施し、デジタルデータに変換して、撮像データ保持部１８に出力する。撮像データ保持部１８は、画像データを表示用及び圧縮用に一時記憶するいわゆる画像メモリである。
【００１３】
図２は、撮影レンズによる光学エリア５０に対する撮像素子１４の動画撮影エリア５２と静止画撮撮影エリア５４の関係を模式的に示す。撮影レンズによる光学エリア５０内に撮像素子１４の撮像面の全画素が入る。動画撮影エリア５２は、撮像素子１４の撮像面の一部の画素からなり、静止画撮影エリア５４は、撮像素子５２の撮像面の全画素からなる。即ち、動画撮影エリア５２は静止画撮影エリア５４の中に入る。
【００１４】
図２に示すように、撮像素子１４の撮像面内の一部の領域を動画撮影エリア５２とする場合、撮像素子１４の撮像面内で手ぶれを相殺する方向と量で動画撮影エリア５２を移動することにより、電子的に手ぶれを補正できる。このためにも、動画撮影に必要な画素数以上の画素数を有する撮像素子１４が使用される。
【００１５】
本実施例では、動画撮影中に静止画を記録するので、撮像処理部１６は、撮像素子１４の静止画撮影エリア５４の画像信号、即ち全画像の画像信号を取り込み、その画像データを撮像データ保持部１８に供給する。
【００１６】
撮像データ保持部１８は、撮像処理部１６からの画像データを一時的に保持する。撮像データ保持部１８に保持される画像データは、一定のタイミングで繰り返し、表示処理部２４に転送される。表示処理部２４は、撮像データ保持部１８の画像データに付加情報をオーバーレイし、表示部２８に供給する。これにより、撮像素子１４で取り込まれた画像に、撮影モード、撮影日時及び撮影条件等の付加情報が重ねて表示される。
【００１７】
動画像圧縮伸長処理部２０は、撮像データ保持部１８に保持される画像データを動画像圧縮方式で圧縮する機能と、圧縮された動画像データを伸長する機能を具備する。静止画像圧縮伸長処理部２２は、撮像データ保持部１８に保持される画像データを静止画の圧縮方式で圧縮する圧縮機能と、圧縮された静止画像データを伸長する伸長機能を具備する。
【００１８】
記録再生処理部２６は、記録媒体３０に圧縮画像データを記録し、記録媒体３０に記録される圧縮画像データを再生する。表示部２８は、動画像、静止画像及び設定メニュー画面を表示する。記録媒体３０は、ＨＤＤ（ハードディスクドライブ）、書き換え可能光ディスク、書き換え可能光磁気ディスク又は半導体メモリ等からなる。
【００１９】
メイン制御部１２は、バス３２を介して各部に接続し、撮像装置１０の全体を制御する。操作部３４は、十字キー及び決定／取消ボタン等からなり、ユーザが動画像及び静止画像の再生及び記録を撮像装置１０に指示するのに使用される。また、操作部３４は、設定メニュー画面の操作にも使用される。
【００２０】
動画像をインターレース方式で撮像している場合で、１画面内の水平ラインの上下で時間差が生じる場合、静止画圧縮伸長処理部２２が、水平ライン間の補間を行うことで、水平ラインの上下の時間差を解消する。別の方法として、動画像のフレームレートが３０フレームで毎秒６０フィールドの場合、撮像処理部１６が撮像素子１４から毎秒６０フレームのフレームレートで画像データを取り込み、撮像データ保持部１８が、動画像の画像データと静止画像の画像データを区別して保持してもよい。
【００２１】
図３は、静止画撮影時の表示部２８の表示画面例を示す。表示部２８の画面一杯に静止画が表示される。その付加情報として、記録状態５６、動作モード５８、現在日時６０及び撮影条件６２が重ねて表示される。記録状態５６として、記録媒体３０の記録時間及び記録状態等が表示される。動作モード５８には撮影モード又は再生モード等が示される。現在日時６０には、現在日時が表示される。撮影条件６２には、静止画の撮影サイズや記録可能残数が表示される。記録状態５６、動作モード５８及び撮影条件６２の具体的内容は、操作部３４により撮像装置１０に設定され、変更される。
【００２２】
本実施例では、動画撮影エリアと静止画撮影エリアの関係を視覚的にユーザに示すために、表示部２８又はビューファインダの表示画面上に静止画撮影エリアの画像を表示しつつ、動画撮影エリアを示すフレーム７２又は枠線を重ねて表示する。図４は、その表示例を示す。表示部２８の表示画面に静止画撮影エリア５４内の画像をフルで表示し、その画像に重ねて、動画撮影対象となっている範囲を示すフレーム７２又は枠線を表示する。これにより、ユーザは、被写体のどの部分が静止画として記録され、どの部分が動画として記録されるかを視覚的に確認できる。静止画の付加情報（図４に示す例では、画素数）は、フレーム７２の外に表示され、動画の付加情報は、フレーム７２内に表示される。これにより、ユーザは、静止画の付加情報と動画の付加情報を区別して認識できる。
【００２３】
図５は、表示部２８の画面に表示される設定メニュー例を示す。設定メニュー８０で、有効撮影領域表示設定、有効撮影領域設定、静止画設定及び撮影モード設定が選択できる。有効撮影領域表示設定では、フレーム７２の表示・非表示を設定する。有効撮影領域設定は、静止画撮影エリア５４の画像をフル画面で表示するか、動画撮影エリア５２の画像をフル画面で表示するかを選択する。
図６は、設定メニュー８０の有効撮影領域設定が選択され、静止画が選択された状態を示す。有効撮影領域に静止画を選択すると、図４に示すように、表示部２８の全画面に静止画が表示される。このとき、フレーム７２の表示を有効にしていると、フレーム７２が重ねて表示される。有効撮影領域設定で静止画の設定を選択しない、即ちＯＦＦを選択すると、図７に示すように、表示部２８の全画面に動画像が表示される。画面内に付加情報がオーバーレイされる。当然、フレーム７２は表示されない。
【図面の簡単な説明】
【００２４】
【図１】本発明の一実施例の概略構成ブロック図である。
【図２】撮像素子１４の光学エリア５０と動画撮影エリア５２及び静止画撮影エリア５４の関係を示す模式図である。
【図３】静止画撮影時の表示部２８の表示画面例である。
【図４】動画撮影エリアの枠７２を表示する表示例である。
【図５】設定メニューで有効撮影領域表示設定を選択した状態の設定画面例である。
【図６】設定メニューで有効撮影領域設定を選択した状態の設定画面例である。
【図７】動画のみを表示する表示例である。
【符号の説明】
【００２５】
１０  撮像装置
１２  メイン制御部
１４  ＣＣＤ撮像素子
１６  撮像処理部
１８  撮影データ保持部
２０  動画像圧縮伸長処理部
２２  静止画像圧縮伸長処理部
２４  表示処理部
２６  記録再生処理部
２８  表示部
３０  記録媒体
３２  バス
３４  操作部
５０  光学エリア
５２  動画撮影エリア
５４  静止画撮影エリア
５６  記録状態
５８  撮影モード
６０  現在日時
６２  撮影条件
８０  設定メニュー
【図１】
2007036882.tif 000003
【図２】
2007036882.tif 000004
【図３】
2007036882.tif 000005
【図４】
2007036882.tif 000006
【図５】
2007036882.tif 000007
【図６】
2007036882.tif 000008
【図７】
2007036882.tif 000009